(57)【要約】【課題】空気調和機の吹出し口から吹出される風を左右羽根を用いて、左右に吹き分ける際に、左右どちらの方向を向いているか、視認するのが困難なことがあった。【解決手段】外観を構成する本体と、風を送るためのファンと、風を吹出すための吹出し口を備え、前記吹出し口には、風を上下方向に吹き分けるための上下羽根と、風を左右方向に吹き分けるための左右羽根が設けられ、前記左右羽根はその両側面に、前記左右羽根の回動中心に対して斜めの線で構成された模様が表示されたもので、これによって左右羽根が左右方向に回動する度合いを任意に変化させた場合でも、左右羽根の両側面に描かれた模様で風向きの方向を確認し易くなる。【選択図】図３
2017075728.tif 000002
【特許請求の範囲】
【請求項１】
外観を構成する本体と、風を送るためのファンと、風を吹出すための吹出し口とを備え、前記吹出し口には、吹出す風を上下方向に吹き分けるための上下羽根と、左右方向に吹き分けるための左右羽根が設けられ、前記左右羽根の両側面に、前記左右羽根の回動中心に対して傾斜した線で構成された模様が表示されたことを特徴とする空気調和機の室内機。
【請求項２】
外観を構成する本体と、風を送るためのファンと、風を吹出すための吹出し口とを備え、前記吹出し口には、吹出す風を上下方向に吹き分けるための上下羽根と、左右方向に吹き分けるための左右羽根が設けられ、前記左右羽根の両側面に、吹出す風の上流側から下流側に向かって凸となる、同心円状の模様が表示されたことを特徴とする空気調和機の室内機。
【請求項３】
外観を構成する本体と、風を送るためのファンと、風を吹出すための吹出し口とを備え、前記吹出し口には、風を上下方向に吹き分けるための上下羽根と、左右方向に吹き分けるための左右羽根が設けられ、前記左右羽根の両側面に、吹出す風の上流側から下流側に向かって、徐々に色調が変化する模様が表示されたことを特徴とする空気調和機の室内機。
【請求項４】
前記左右羽根それぞれの両側面に描かれた模様は、相互に面対称であることを特徴とする、請求項１〜３のいずれか１項に記載の空気調和機の室内機。
【請求項５】
外観を構成する本体と、風を送るためのファンと、風を吹出すための吹出し口とを備え、前記吹出し口には、風を上下方向に吹き分けるための上下羽根と、左右方向に吹き分けるための左右羽根が設けられ、前記左右羽根の右側面と左側面とが異なる色調であることを特徴とする空気調和機の室内機。
【請求項６】
左右羽根は、下羽根と上羽根の両方もしくは一方に取り付けられた、請求項１〜５のいずれか１項に記載の空気調和機の室内機。
【発明の詳細な説明】
【技術分野】
【０００１】
本発明は空気調和機に係わり、風を左右方向に吹き分けられる室内機に関するものである。
【背景技術】
【０００２】
従来、この種の空気調和機としては、例えば、特許文献１（特開２００９−２０８４９６号公報）に開示されたものが知られている。
【０００３】
特許文献１に開示されたベント構造は、車載用エアコンの吹出し口に、円盤型の回転フィンが複数枚、回転軸部材に所定角度傾斜して取り付けられていており、この回転フィンが車幅方向にのびる回転軸を中心に回転することで、エアコンから吹出される風の風向きを、上、左、下、右に変えることができるものである。そして、この回転フィンには、風向を上、左、下、右に変えたときに、それぞれの風向を示すような絵図が設けられており、使用者はその絵図から、風向を視認することが可能となっている。
【先行技術文献】
【特許文献】
【０００４】
【特許文献１】特開２００９−２０８４９６号公報
【発明の概要】
【発明が解決しようとする課題】
【０００５】
しかしながら前記従来の構成では、回転フィンが車幅方向にのびる回転軸を中心に回転することで、風向を変えるような風向変更手段には対応できるものの、左右羽根の左右の回動度合いを上・左・下・右以外の任意の角度にしたい場合、例えば左方向に風向を変更する場合に、左右羽根を真左に回動させたい場合と、やや左に回動させたい場合のいずれにも対応できるようにするには、絵図が見づらくなるという課題を有していた。
【課題を解決するための手段】
【０００６】
前記従来の課題を解決するために、本発明の空気調和機の室内機は、外観を構成する本体と、風を送るためのファンと、風を吹出すための吹出し口とを備え、前記吹出し口には、吹出す風を上下方向に吹き分けるための上下羽根と、左右方向に吹き分けるための左右羽根が設けられ、前記左右羽根の両側面に、前記左右羽根の回動軸に対して傾斜した線で構成された模様が表示されたものである。
【０００７】
これによって、左右羽根が左右方向に回動する度合いを任意に変化させた場合でも、左右羽根の両側面に描かれた模様で風向きの方向を確認し易くなる。
【発明の効果】
【０００８】
本発明の空気調和機の室内機は、外観を構成する本体と、風を送るためのファンと、風を吹出すための吹出し口とを備え、前記吹出し口には、吹出す風を上下方向に吹き分けるための上下羽根と、左右方向に吹き分けるための左右羽根が設けられ、前記左右羽根の両側面に、前記左右羽根の回動中心に対して傾斜した線で構成された模様が表示されたもので、左右羽根が左右方向に回動する度合いを任意に変化させた場合でも、左右羽根の両側面に描かれた模様で風向きの方向を直感的に確認し易くなる。
【図面の簡単な説明】
【０００９】
【図１】本発明の実施の形態１における空気調和機の室内機の断面図
【図２】本発明の実施の形態１における空気調和機の室内機に設けられた吹出し口の正面図であって左右羽根が吹出し口に取り付けられた様子を示す図
【図３】本発明の実施の形態１における空気調和機の室内機に設けられた吹出し口の右半分の正面図であって、回動の度合いの小さい左右羽根が吹出し口に取り付けられた様子を示す図
【図４】本発明の実施の形態１における左右羽根の側面図
【発明を実施するための形態】
【００１０】
第１の発明は、外観を構成する本体と、風を送るためのファンと、風を吹出すための吹出し口とを備え、前記吹出し口には、吹出す風を上下方向に吹き分けるための上下羽根と、左右方向に吹き分けるための左右羽根が設けられ、前記左右羽根の両側面に、前記左右羽根の回動中心に対して傾斜した線で構成された模様が表示されたもので、左右羽根が左右方向に回動する度合いを任意に変化させた場合でも、左右羽根の両側面に描かれた模様で風向きの方向を確認し易くなる。
【００１１】
第２の発明は、外観を構成する本体と、風を送るためのファンと、風を吹出すための吹出し口とを備え、前記吹出し口には、吹出す風を上下方向に吹き分けるための上下羽根と、左右方向に吹き分けるための左右羽根が設けられ、前記左右羽根の両側面に、吹出す風の上流側から下流側に向かって凸となる、同心円状の模様が表示されたもので、左右羽根が左右方向に回動する度合いを任意に変化させた場合でも、左右羽根の両側面に描かれた模様で風向きの方向を確認し易くなる。
【００１２】
第３の発明は、外観を構成する本体と、風を送るためのファンと、風を吹出すための吹出し口とを備え、前記吹出し口には、風を上下方向に吹き分けるための上下羽根と、左右方向に吹き分けるための左右羽根が設けられ、前記左右羽根の両側面に、吹出す風の上流側から下流側に向かって、徐々に色調が変化する模様が表示されたもので、左右羽根が左右方向に回動する度合いを任意に変化させた場合でも、左右羽根の両側面に描かれた模様で風向きの方向を確認し易くなる。また、直線や曲線の模様が識別し難い場合でも、色で容易に確認できる。
【００１３】
第４の発明は、特に、第１〜第３の発明に記載の左右羽根の両側面に描かれた模様が、相互に対称であるもので、左右羽根が左右方向に回動する度合いを任意に変化させた場合でも、左右羽根の両側面に描かれた模様で風向きの方向を確認し易くなる。
【００１４】
第５の発明は、外観を構成する本体と、風を送るためのファンと、風を吹出すための吹出し口とを備え、前記吹出し口には、風を上下方向に吹き分けるための上下羽根と、左右方向に吹き分けるための左右羽根が設けられ、前記左右羽根の右側面と左側面とが異なる色調であるもので、左右羽根が左右方向に回動する度合いを任意に変化させた場合でも、左右羽根の両側面に描かれた模様で風向きの方向を確認し易くなる。また、模様の見難さ、見易さに関わらず、色の違いで確認し易くなる。
【００１５】
第６の発明は、特に、第１〜第５の発明に記載の左右羽根は、下羽根と上羽根の両方もしくはいずれか一方に取り付けられたもので、左右羽根を上下羽根に取り付けることで、室内機のより下流側に左右羽根が配置させることになり、左右羽根が視認しやすくなるので左右の風向き方向をその両側面に描かれた模様で、さらに確認し易くなる。
【００１６】
以下、本発明の実施の形態について、図面を参照しながら説明する。なお、この実施の形態によって本発明が限定されるものではない。
【００１７】
（実施の形態１）
図１は、本発明の第１の実施の形態における空気調和機の室内機の断面図を示すものである。
【００１８】
図１において、室内機本体１は、空気を吸込む吸込み口２と、吸込んだ空気と熱交換をするための熱交換器３と、風を吹出す吹出し口４と、吹出し口４から風を吹出すための気流を発生させるファン５と、風を左右に吹き分けるための左右羽根６と、複数の左右羽根６を互いに連結する連結桟７と、風を上下に吹き分けるための上羽根８ａ、下羽根８ｂからなる上下羽根８から構成されている。また、左右羽根６には、左右羽根６を室内機本体１に取り付けるための上側軸９ａと、下側軸９ｂとが設けられており、また、連結桟７に取り付けるための連結桟軸１０が設けられている。
【００１９】
また図２は、本発明の実施の形態１における空気調和機の室内機に設けられた吹出し口４の正面図であって、左右羽根６が吹出し口４に取り付けられた様子を示す図であるが、左右羽根６には、その両端に左右羽根６の回動軸に対して傾斜した線の模様１１ａが描かれている。
【００２０】
以上のように構成された空気調和機の室内機本体１について、以下その動作、作用を説明する。
【００２１】
図１において、ファン５が回転を始めると、吸込み口２から空気が吸いこまれ、熱交換器３を通過した後、熱交換された空気が風となって、吹出し口４から吹出される。このとき、左右羽根６が上側軸９ａと、下側軸９ｂとを結ぶ回転軸を中心に回動すると、吹出し口４から出る風は、左右羽根６が回動した方向（左右方向）に、回動した度合いに応じて曲げられ、また同様に上下羽根８が回動した方向（上下方向）に、回動した度合いに応じて上下方向に曲げられる。
【００２２】
複数ある左右羽根６は互いに連結桟軸１０を介して連結桟７で連結されていて、いずれの左右羽根６も同じ程度回動する。
【００２３】
使用者はリモコン（図示せず）を操作することで、ファン５の回転を開始させたり、停止させたり、また回転数を変化させたりすることが出来る。加えて、左右羽根６の回動や上下羽根８の回動についても、リモコンを操作することで意図通りの方向、度合いに回動させられる。
【００２４】
ここで、使用者がリモコンで左右羽根６の回動の向き、度合いを指示し、左右羽根６がその指示通りに回動した状態において、左右羽根６がどちらの向きにどの程度回動しているのかは、リモコンの表示部にそれが表示されていればこれを見れば分かるが、本発明においては、左右羽根６の両側面に図２のような左右羽根６の回動軸に対して傾斜した線の模様１１ａが描かれているので、リモコンにその表示がない場合でも左右羽根６を見れば、その回動の向きと度合いが分かる。あるいはリモコンに左右羽根回動の方向と度合いの表示がある場合でも、わざわざリモコンの表示部を見なくても左右羽根６を見ればその回動の向きと度合いが分かる。そしてその結果として吹出し口４から吹出される風の方向が確認し易くなる。
【００２５】
この傾斜した線の模様１１ａによる左右羽根６の回動の向きと度合いの確認は、図２のように左右羽根６が比較的大きく回動している場合だけでなく、図３のように小さく回動している場合でも、線がどの方向に傾いているかが確認できるので分かり易い。また、室内機本体１の左右方向中央の正面下の位置から左右羽根６を見る場合だけでなく、室内機本体１の左側や右側から見る場合でも先と同様に線がどちらの方向に傾いているかが確認できるので、左右羽根６の回動の向きと度合いが確認し易くなる。ここで、斜めの線は、
直線と曲線が組み合わされたものでも良い。
【００２６】
この傾斜した線の模様１１ａは図４（ａ）の他、図４（ｂ）のように傾斜した線の模様１１ｂが複数ある場合や、図４（ｃ）のように左右羽根６の回動軸に対して角度の違う傾斜した線１１ｃが組み合わされたもの、図４（ｄ）のように波紋が広がるような同心円状の模様１２のものを用いても同様の効果が得られる。また、図４（ｅ）のように吹出す風の上流側から下流側に向かって徐々に色調が変化する模様１３であれば、周囲の環境が暗いなど直線や曲線といった模様が識別し難い場合でも、その色の変化を見ることで容易に左右羽根６の回動の向きと度合いが確認できる。さらに、左右羽根６の右側面と左側面の模様が相互に面対称となるように描かれていると、その模様の識別はなお分かり易い。
【００２７】
また、左右羽根６が上側軸９ａと、下側軸９ｂによって室内機本体１に取り付けられるのではなく、下側軸９ｂによって下羽根８ｂに取り付けられ搭載されていると、左右羽根６は吹出し口４に対し、より吹出す風の下流に配置されることになり、左右羽根６が視認しやすくなるので回動の向きと度合いを左右羽根６の両側面に描かれた模様でさらに確認し易くなる。この場合、連結桟軸１０は左右羽根６の上側ではなく、下側に設けられても良い。
【００２８】
この他に、左右羽根６の両側面の色を互いに異なる色にしたり、あるいは、異なる色で描かれた模様にしたりすることも有用である。左右羽根６の左右両側面の色が異なることで、左右羽根６の回動の向きをより視認しやすくなる。
【００２９】
左右羽根６の両側面に色を着色するには、塗料を用いたり、成型の材料によって着色する方法もあるが、左右羽根６にＬＥＤをつけるなどして光るようにすれば左右羽根６の向きと回動の度合いはより分かりやすくなる。
【００３０】
図２や図３で左右羽根６の両端に描かれた、左右羽根６の回動軸に傾斜した線の模様１１ａは、吹出し口の両端ほど高い位置に、中央ほど低い位置に描かれており、複数枚ある左右羽根６が互いに組み合わされた場合に、より視認しやすいようになっている。
【００３１】
左右羽根６は吹出し口４の中央部を境に右側と左側に分かれており、いずれもが右方向に回動する場合、いずれもが左方向に回動する場合、互いに中央方向に回動する場合、共に外側方向（吹出し口両端方向）に回動する場合の大きく４つのパターンがあって、どのパターンでも回動の度合いが任意に設定できる。これらの４つのパターンのいずれに対しても、上記の模様は視認し易いようになっている。
【産業上の利用可能性】
【００３２】
以上のように、本発明にかかる空気調和機の室内機は、吹出し口から吹出された風が左右羽根によって左右方向に吹き分けられる動作に関わるものであるが、風を左右に吹き分ける機構を備えた空気調和機や除湿機、空気清浄機など、他の送風関連技術ならびに商品、設備、部品の用途にも適用できる。
【符号の説明】
【００３３】
１  室内機本体
４  吹出し口
６  左右羽根
８  上下羽根
８ａ  上羽根
８ｂ  下羽根
１１ａ、１１ｂ  傾斜した線の模様
１１ｃ  角度の違う傾斜した線
１２  同心円状の模様
１３  徐々に色調が変化する模様
【図１】
2017075728.tif 000003
【図２】
2017075728.tif 000004
【図３】
2017075728.tif 000005
【図４】
2017075728.tif 000006